(57)【要約】【課題】障子の戸先框に設けられた凹部内で、加熱発泡材を簡便に固定して、加熱発泡材を凹部内に保持する。【解決手段】建具１は、枠を枠組みして構成される枠体３と、枠体３の開口部に開閉可能に配置される障子２を備え、障子２の戸先框５０に対向する枠６には、戸先框５０に向かって突出する突出部６Ｃを有する。障子２は、戸先框５０に設けられて突出部６Ｃが挿入される凹部７０と、凹部７０内の配置部５４に配置された加熱発泡材７Ｋを有する。引き寄せ部材６０は、戸先框５０の見込み方向の一方側を突出部６Ｃに引き寄せるとともに、加熱発泡材７Ｋを配置部５４に固定する。【選択図】  図４
2018048512.tif 000002
【特許請求の範囲】
【請求項１】
枠と、前記枠を枠組みして構成される枠体と、前記枠体の開口部に開閉可能に配置される障子と、を備えた建具であって、
前記障子の戸先框に対向する前記枠には、前記戸先框に向かって突出する突出部を有し、
前記障子は、前記戸先框に設けられて前記突出部が挿入される凹部と、前記凹部内の配置部に配置された加熱発泡材と、前記戸先框の見込み方向の一方側を前記突出部に引き寄せるとともに、前記加熱発泡材を前記配置部に固定する引き寄せ部材と、を有する建具。
【請求項２】
請求項１に記載された建具において、
前記引き寄せ部材は、前記加熱発泡材に接触して前記加熱発泡材を押さえる接触部を有し、前記接触部により前記加熱発泡材を前記配置部に押し付けて、前記接触部と前記配置部の間に前記加熱発泡材を固定する建具。
【請求項３】
請求項２に記載された建具において、
前記引き寄せ部材は、前記接触部に複数の突起を有する建具。
【請求項４】
請求項１ないし３のいずれかに記載された建具において、
前記加熱発泡材は、前記配置部に前記戸先框の長手方向に沿って複数箇所に隙間を開けてまたは隙間なく直列に境界部分に境界部を設けて配置され、
前記引き寄せ部材は、前記境界部に対向する位置に配置されて、前記境界部を含む前記加熱発泡材を押圧して前記配置部に固定する建具。
【請求項５】
請求項１ないし４のいずれかに記載された建具において、
前記戸先框は、前記凹部の対向する一対の壁部のそれぞれに係止部を有し、
前記引き寄せ部材は、前記一対の壁部の間に配置され、前記一対の壁部の係止部に係止される建具。
【発明の詳細な説明】
【技術分野】
【０００１】
本発明は、枠体と障子を備えた建具に関する。
【背景技術】
【０００２】
建築物の開口部に設置される建具においては、スライドにより開閉する障子を備えた建具（例えば、引き違い窓）が広く用いられている。この建具では、障子は、戸先框に設けられた凹部を有し、枠体は、戸先框の凹部に挿入される突出部を有する。障子が閉じるときに、枠体の突出部が戸先框の凹部に挿入されて、凹部内の引き寄せ部材により、戸先框が枠体の突出部に引き寄せられる。また、建具の防火性能を向上させるため、加熱発泡材が戸先框の凹部内に取り付けられることがある。
【０００３】
加熱発泡材を戸先框の凹部内に取り付けるときには、加熱発泡材が、引き寄せ部材を避けるように凹部内に配置される。或いは、加熱発泡材を避ける形状に引き寄せ部材を形成する等して、引き寄せ部材が、加熱発泡材を避けるように凹部内に配置される。そのため、加熱発泡材と引き寄せ部材を凹部内に容易に配置できない虞がある。また、加熱発泡材が凹部内で固定されず、経年劣化によって、加熱発泡材が外れる虞がある。
【０００４】
これに対し、従来、上部振れ止め部材と下部振れ止め部材により、加熱発泡材の上下方向の移動を規制する開口部装置が知られている（特許文献１参照）。
ところが、特許文献１に記載された従来の開口部装置では、上部振れ止め部材と下部振れ止め部材の間で、加熱発泡材が固定されず、経年劣化によって、加熱発泡材の位置がずれる虞がある。
【先行技術文献】
【特許文献】
【０００５】
【特許文献１】特開２０１４−１９６６２２号公報
【発明の概要】
【発明が解決しようとする課題】
【０００６】
本発明は、前記従来の問題に鑑みなされたもので、その目的は、障子の戸先框に設けられた凹部内で、加熱発泡材を簡便に固定して、加熱発泡材を凹部内に保持することである。
【課題を解決するための手段】
【０００７】
本発明は、枠と、前記枠を枠組みして構成される枠体と、前記枠体の開口部に開閉可能に配置される障子と、を備えた建具である。建具は、前記障子の戸先框に対向する前記枠には、前記戸先框に向かって突出する突出部を有する。前記障子は、前記戸先框に設けられて前記突出部が挿入される凹部と、前記凹部内の配置部に配置された加熱発泡材と、前記戸先框の見込み方向の一方側を前記突出部に引き寄せるとともに、前記加熱発泡材を前記配置部に固定する引き寄せ部材と、を有する。
【発明の効果】
【０００８】
本発明によれば、障子の戸先框に設けられた凹部内で、加熱発泡材を簡便に固定して、加熱発泡材を凹部内に保持することができる。
【図面の簡単な説明】
【０００９】
【図１】本実施形態の建具の断面図である。
【図２】本実施形態の建具の断面図である。
【図３】本実施形態の戸先框の側面図である。
【図４】本実施形態の戸先框の断面図である。
【発明を実施するための形態】
【００１０】
本発明の建具の一実施形態について、図面を参照して説明する。
本実施形態の建具は、枠体に対して障子が開閉する開閉窓であり、障子により、枠体の開口部の一部又は全部を開閉する。以下では、建具が引き違い形式の開閉窓（引き違い窓）である場合を例にとり、建具について説明する。
【００１１】
図１、図２は、本実施形態の建具１の断面図であり、建具１の概略構成を示している。図１は、建具１を垂直方向に切断した縦断面図であり、図２は、建具１を水平方向に切断した横断面図である。
図示のように、建具１は、建築物の開口部に設置されて、建築物の室内と室外の間に配置される。また、建具１は、引き違い障子である一対の障子２と、一対の障子２を囲む枠体３を備えている。枠体３は、複数の取付部材１０（ここでは、ねじ）により、建築物の開口部を囲む縁部に取り付けられる。障子２の移動（スライド）により、枠体３の開口部３Ａが開閉される。
【００１２】
一対の障子２は、方形状の可動体であり、室外側の外障子２Ａと室内側の内障子２Ｂからなる。一対の障子２は、枠体３の開口部３Ａに開閉可能に配置されて、開口部３Ａ内で、水平方向にスライドして移動する。一対の障子２を閉じたときに、枠体３の開口部３Ａが一対の障子２により塞がれる。その状態で、一対の障子２は、クレセント錠１１により施錠される。クレセント錠１１は、内障子２Ｂに取り付けられたクレセント部１１Ａと、外障子２Ａに取り付けられたクレセント受け１１Ｂを有する。各障子２を開いたときに、各障子２は、枠体３に取り付けられたストッパー１２に接触して停止する。
【００１３】
障子２は、方形状の框体２Ｃと、框体２Ｃに取り付けられたパネル体２Ｄを有する。パネル体２Ｄは、複数のガラス板２Ｅを有する複層ガラスであり、框体２Ｃの内側に嵌め込まれる。框体２Ｃは、枠組みされた４つの框２０、３０、４０、５０（上框２０、下框３０、召し合せ框４０、戸先框５０）を有する。４つの框２０、３０、４０、５０は、框体２Ｃを構成する長尺な框材であり、それぞれパネル体２Ｄの縁部に沿って配置される。
【００１４】
障子２の框体２Ｃは、金属と樹脂からなる複合框体であり、４つの框２０、３０、４０、５０に、金属製の金属框部２１、３１、４１、５１と、合成樹脂製の樹脂カバー２２、３２、４２、５２を有する。金属框部２１、３１、４１、５１は、金属（ここでは、アルミニウム合金）の押出成形により成形されて、方形状に組み合わされる。樹脂カバー２２、３２、４２、５２は、合成樹脂の押出成形により成形されて、それぞれ金属框部２１、３１、４１、５１に取り付けられる。樹脂カバー２２、３２、４２、５２は、それぞれ框２０、３０、４０、５０の長手方向に沿って配置されて、金属框部２１、３１、４１、５１の室内に露出する部分を覆う。
【００１５】
一対の障子２を閉じた状態で、一対の障子２の召し合せ框４０が対向して配置されて、内障子２Ｂの召し合せ框４０が外障子２Ａの召し合せ框４０の室内側に配置される。そのため、外障子２Ａでは、召し合せ框４０が樹脂カバーを有さず、召し合せ框４０の金属枠部４１が樹脂カバーにより覆われない。樹脂カバー２２、３２、４２、５２は、外障子２Ａの召し合せ框４０を除く一対の障子２の框２０、３０、４０、５０に設けられる。
【００１６】
枠体３は、方形状の開口枠（窓枠）であり、枠組みされた４つの枠４〜６（上枠４、下枠５、一対の縦枠６）を有する。４つの枠４〜６は、枠体３を構成する長尺な枠材である。４つの枠４〜６の端部同士が接続されて、開口部３Ａが枠体３の内側に形成される。枠体３は、金属と樹脂からなる複合枠体（複合サッシ）であり、４つの枠４〜６に、金属製の金属枠部４Ａ、５Ａ、６Ａと、合成樹脂製の樹脂カバー４Ｂ、５Ｂ、６Ｂを有する。
【００１７】
金属枠部４Ａ、５Ａ、６Ａは、金属（ここでは、アルミニウム合金）の押出成形により成形されて、方形状に組み合わされる。樹脂カバー４Ｂ、５Ｂ、６Ｂは、合成樹脂の押出成形により成形されて、それぞれ金属枠部４Ａ、５Ａ、６Ａに取り付けられる。樹脂カバー４Ｂ、５Ｂ、６Ｂは、それぞれ枠４〜６の長手方向に沿って配置されて、金属枠部４Ａ、５Ａ、６Ａの表面を覆う。枠体３は、枠４〜６を枠組みして構成される。
【００１８】
上枠４は、凸状の外レール４Ｃと内レール４Ｄを有し、下枠５は、凸状の外レール５Ｃと内レール５Ｄを有する。外障子２Ａは、外レール４Ｃ、５Ｃに沿ってスライドして移動し、内障子２Ｂは、内レール４Ｄ、５Ｄに沿ってスライドして移動する。一対の障子２を閉じるときに、一対の障子２の戸先框５０は、それぞれ縦枠６に向かって移動して、縦枠６に接触する。その状態で、一対の縦枠６は、それぞれ障子２の戸先框５０に対向して配置される。
【００１９】
建具１は、障子２と枠体３の所定の配置部に配置された複数の加熱発泡材７（７Ａ〜７Ｐ）を備えている。加熱発泡材７は、帯状の熱膨張耐火材であり、加熱されたときに発泡して膨張する。複数の加熱発泡材７は、それぞれ框２０、３０、４０、５０と枠４〜６の長手方向に沿って配置され、框２０、３０、４０、５０と枠４〜６に貼り付けられて、障子２と枠体３に取り付けられる。また、加熱発泡材７は、建具１の室内側と室外側を連通する連通部に設けられる。
【００２０】
建具１の連通部は、例えば、框２０、３０、４０、５０と枠４〜６に形成された中空部、框２０、３０、４０、５０と枠４〜６の対向部、框２０、３０、４０、５０とパネル体２Ｄの間の隙間部である。火災が発生したときに、加熱発泡材７は、加熱により発泡して、連通部で膨張する。これにより、加熱発泡材７は、連通部に充填されて、連通部を閉塞する。膨張した加熱発泡材７により、連通部を介した炎、煙、熱、ガス等の流通が防止される。
【００２１】
障子２（図２参照）は、戸先框５０の戸先側に取り付けられた加熱発泡材７Ｋと引き寄せ部材６０を有する。また、枠体３は、戸先框５０に対向する枠（一対の縦枠６）に突出部６Ｃを有する。突出部６Ｃは、縦枠６の長手方向に延びる板状の突片であり、縦枠６の戸先框５０に対向する部分（対向部）に形成されている。障子２を閉じるときに、戸先框５０の引き寄せ部材６０が突出部６Ｃに接触して、引き寄せ部材６０により、戸先框５０が室内側に引き寄せられる。一対の障子２の戸先框５０は、同様に構成され、一対の縦枠６の突出部６Ｃは、それぞれ対向する戸先框５０に向かって突出する。
【００２２】
図３は、本実施形態の戸先框５０の側面図であり、外障子２Ａの戸先框５０を図２のＸ１方向からみて示している。また、図３は、戸先框５０の内部構造を破線で示している。
図示のように、障子２（外障子２Ａ）は、上枠４の外レール４Ｃによりガイドされる上ガイド部材１３と、下枠５の外レール５Ｃによりガイドされる下ガイド部材１４を有する。
【００２３】
上ガイド部材１３が戸先框５０の上端部に取り付けられて、外レール４Ｃが上ガイド部材１３の溝部に配置される。また、下ガイド部材１４が戸先框５０の下端部に取り付けられて、外レール５Ｃが下ガイド部材１４の溝部に配置される。加熱発泡材７Ｋは、上ガイド部材１３と下ガイド部材１４の間で、戸先框５０の長手方向（図３の上下方向）に沿って配置される。引き寄せ部材６０は、上ガイド部材１３と下ガイド部材１４の間に位置し、戸先框５０の長手方向の中央部に配置される。
【００２４】
図４は、本実施形態の戸先框５０の断面図であり、図３のＸ２−Ｘ２線で切断した戸先框５０を示している。図４では、戸先框５０の戸先側の部品を示し、それ以外の部品を省略する。また、図４は、戸先框５０に対向する縦枠６の一部を破線で示している。
図示のように、縦枠６の突出部６Ｃは、縦枠６の金属枠部６Ａに形成されて、戸先框５０に向かって突出する。障子２は、戸先框５０の戸先側に取り付けられた緩衝部材１５と、戸先框５０に設けられた凹部７０を有する。加熱発泡材７Ｋ、引き寄せ部材６０、及び、緩衝部材１５は、凹部７０に収容されて、凹部７０内の所定部に取り付けられる。
【００２５】
戸先框５０の凹部７０は、戸先框５０の長手方向に延びる溝部であり、戸先框５０の戸先側に凹状に形成されている。障子２を閉じるときに、縦枠６の突出部６Ｃが凹部７０に挿入されて、突出部６Ｃの少なくとも一部が凹部７０に収容される。凹部７０は、戸先框５０の長手方向に延びる一対の壁部７１、７２（第１壁部７１、第２壁部７２）と底部７３により区画されて、縦枠６に向かって開放されている。
【００２６】
凹部７０の一対の壁部７１、７２は、戸先框５０の見込み方向（室内外方向）に間隔を開けて並列し、底部７３の両縁部から縦枠６に向かって突出する。第１壁部７１は、凹部７０の室外側に位置し、第２壁部７２は、凹部７０の室内側に位置する。凹部７０の底部７３は、一対の壁部７１、７２を連結する連結部であり、一対の壁部７１、７２の間に位置する。障子２を閉じた状態で、縦枠６の突出部６Ｃは、一対の壁部７１、７２の間に配置されて、底部７３と対向する。また、一対の壁部７１、７２は、突出部６Ｃ、加熱発泡材７Ｋ、及び、引き寄せ部材６０に対して、戸先框５０の見込み方向の両側に配置される。
【００２７】
戸先框５０は、戸先框５０の長手方向に延びる取付部５３、配置部５４、２つの支持部５５、５６、受け部５７、及び、２つの係止部５８、５９を有する。戸先框５０の各部５３〜５９は、戸先框５０の金属框部５１に形成されて、凹部７０に設けられている。取付部５３は、２つの取付片５３Ａ、５３Ｂを有し、第１壁部７１の先端側（縦枠６側）に形成されている。取付片５３Ａ、５３Ｂは、第１壁部７１から凹部７０の内側に向かって突出するフック状の突片であり、それぞれ相手側に向かって屈曲する。緩衝部材１５は、取付片５３Ａ、５３Ｂの間に嵌め込まれて、取付部５３に取り付けられる。緩衝部材１５のヒレ状の密閉片１５Ａは、凹部７０の内側に向かって突出する。
【００２８】
加熱発泡材７Ｋは、凹部７０内に位置する戸先框５０の配置部５４に配置されて、配置部５４に貼り付けられる。障子２を閉じた状態で、加熱発泡材７Ｋは、縦枠６の突出部６Ｃに対向する。配置部５４は、凹部７０の底部７３に位置し、一対の壁部７１、７２の間に形成されている。２つの支持部５５、５６（第１支持部５５、第２支持部５６）は、凹部７０の内側に向かって突出する突片である。第１支持部５５は、第１壁部７１の受け部５７から突出し、第２支持部５６は、第２壁部７２から突出する。
【００２９】
配置部５４と支持部５５、５６により、凹状（溝状）の収容部７４が、凹部７０内に形成される。加熱発泡材７Ｋは、収容部７４に収容されて、凹部７０内の配置部５４に配置される。支持部５５、５６は、加熱発泡材７Ｋの両縁部に沿って配置されて、加熱発泡材７Ｋを支持する。受け部５７は、第１壁部７１から凹部７０の内側に向かって突出する突片であり、取付部５３と配置部５４の間に位置する。受け部５７は、引き寄せ部材６０に接触して、引き寄せ部材６０を受ける。
【００３０】
２つの係止部５８、５９（第１係止部５８、第２係止部５９）は、一対の壁部７１、７２のそれぞれに形成され、配置部５４と支持部５５、５６に対して、壁部７１、７２の先端側（縦枠６側）に位置する。引き寄せ部材６０は、一対の壁部７１、７２の間に配置されて、一対の壁部７１、７２の係止部５８、５９に係止される。これにより、引き寄せ部材６０は、凹部７０内に取り付けられて、凹部７０に保持される。その状態で、引き寄せ部材６０は、支持部５５、５６に接触せず、支持部５５、５６から離れた位置に配置される。
【００３１】
引き寄せ部材６０は、第１係止部５８に係止される突状の第１被係止部６１と、第２係止部５９に係止される板状の第２被係止部６２と、一対の壁部７１、７２の間に配置されるベース部６３と、ベース部６３から縦枠６に向かって突出するガイド部６４を有する。第１被係止部６１と第２被係止部６２は、ベース部６３に形成されている。また、戸先框５０の長手方向において（図３参照）、第２被係止部６２は、ベース部６３の両端部側の２箇所に形成されて、ガイド部６４の両側に位置する。
【００３２】
第１係止部５８（図４参照）は、第１壁部７１に設けられた係止凹部であり、引き寄せ部材６０の第１被係止部６１を収容して、第１被係止部６１を係止する。ここでは、第１係止部５８は、２つの突片（取付片５３Ｂ、受け部５７）により形成された凹状の挿入部である。第１被係止部６１は、第１係止部５８に挿入されて、２つの突片により挟持される。従って、第１係止部５８は、引き寄せ部材６０を挟持する挟持部であり、挟持により引き寄せ部材６０を係止する。
【００３３】
第２係止部５９は、第２壁部７２から凹部７０の内側に向かって突出する突片（係止片）である。引き寄せ部材６０の第２被係止部６２は、第２係止部５９と加熱発泡材７Ｋの間に配置されて、第２係止部５９に引っ掛かる。第２係止部５９により、第２被係止部６２の移動が規制されて、第２被係止部６２が係止される。第２係止部５９がガイド部６４の室内側面に形成された溝内に配置されて、ガイド部６４が第２壁部７２に接触する。凹部７０内で、ガイド部６４と緩衝部材１５は、対向して配置される。
【００３４】
障子２を閉じるときに、縦枠６の突出部６Ｃが戸先框５０の凹部７０に挿入される。その際、突出部６Ｃは、ガイド部６４と緩衝部材１５の間に挿入されて、ガイド部６４のガイド面６５に接触する。ガイド面６５は、突出部６Ｃの挿入方向に対して傾斜する傾斜面であり、凹部７０の内側から外側に向かって（縦枠６側に向かって）、室内側に傾斜する。突出部６Ｃの先端部がガイド面６５をスライドして、引き寄せ部材６０のガイド部６４が突出部６Ｃに対して室内側に移動する。引き寄せ部材６０は、ガイド部６４により、戸先框５０をガイドして、突出部６Ｃに対して戸先框５０を室内側に移動させる。
【００３５】
引き寄せ部材６０は、ガイド部６４のガイドにより、戸先框５０の見込み方向の一方側を縦枠６の突出部６Ｃに引き寄せる。引き寄せ部材６０により、戸先框５０は、見込み方向の他方側に引き寄せられて移動する。ここでは、戸先框５０が室内側に移動して、戸先框５０の室外側の部分が突出部６Ｃに引き寄せられる。これにより、凹部７０の第１壁部７１と緩衝部材１５が突出部６Ｃに引き寄せられる。また、緩衝部材１５の密閉片１５Ａは、突出部６Ｃに接触して、弾性変形しつつ突出部６Ｃに密着する。緩衝部材１５の密閉片１５Ａにより、障子２の戸先框５０と縦枠６の突出部６Ｃの間の部分が密閉される。
【００３６】
引き寄せ部材６０は、戸先框５０の凹部７０内に取り付けられた状態で、戸先框５０の見込み方向の一方側を縦枠６の突出部６Ｃに引き寄せるとともに、加熱発泡材７Ｋを凹部７０内の配置部５４に固定する。そのため、引き寄せ部材６０は、加熱発泡材７Ｋを固定可能な固定部材でもあり、加熱発泡材７Ｋに接触する接触部６６を有する。接触部６６は、２つの支持部５５、５６の間に配置されて、収容部７４内の加熱発泡材７Ｋに接触する。引き寄せ部材６０は、接触部６６により、加熱発泡材７Ｋを押さえて、加熱発泡材７Ｋを配置部５４に固定する。
【００３７】
加熱発泡材７Ｋが配置部５４に配置された後、引き寄せ部材６０が一対の係止部５８、５９に係止されて、引き寄せ部材６０の接触部６６が加熱発泡材７Ｋに押し付けられる。引き寄せ部材６０は、接触部６６により、加熱発泡材７Ｋを配置部５４に押し付けて、接触部６６と配置部５４の間に加熱発泡材７Ｋを固定する。加熱発泡材７Ｋは、接触部６６と配置部５４の間に挟まれて、引き寄せ部材６０により配置部５４に保持される。引き寄せ部材６０は、接触部６６に複数の突起６７を有する。接触部６６の複数の突起６７は、半球状に形成されて、接触部６６の全体に分散して配置される。複数の突起６７は、接触部６６とともに加熱発泡材７Ｋに押し付けられて、加熱発泡材７Ｋに食い込む。
【００３８】
以上説明した建具１では、戸先框５０の凹部７０内で、戸先框５０に設けられる引き寄せ部材６０により、加熱発泡材７Ｋを固定する。そのため、加熱発泡材７Ｋと引き寄せ部材６０を凹部７０内に容易に配置でき、戸先框５０の部品数の増加を抑制して、加熱発泡材７Ｋを簡便に固定することができる。また、引き寄せ部材６０により、加熱発泡材７Ｋを凹部７０内に確実に保持することができる。その結果、経年劣化によって、加熱発泡材７Ｋが外れるのを抑制することができる。引き寄せ部材６０を避けるように加熱発泡材７Ｋを配置する必要がないため、加熱発泡材７Ｋの配置面積を確保しつつ、加熱発泡材７Ｋを容易に配置することができる。
【００３９】
引き寄せ部材６０の接触部６６により、加熱発泡材７Ｋを配置部５４に容易に固定することができる。また、引き寄せ部材６０と加熱発泡材７Ｋの接触により、引き寄せ部材６０のガタツキを防止することができる。接触部６６により加熱発泡材７Ｋを配置部５４に押し付けることで、加熱発泡材７Ｋを配置部５４にしっかりと固定することができる。接触部６６の複数の突起６７により、加熱発泡材７Ｋを確実に押さえることができる。一対の壁部７１、７２の係止部５８、５９に引き寄せ部材６０を係止することで、引き寄せ部材６０を凹部７０内に簡単に取り付けることができる。
【００４０】
戸先框５０の凹部７０内には、少なくとも１つの引き寄せ部材６０が取り付けられる。複数の引き寄せ部材６０が凹部７０内に取り付けられるときには、複数の引き寄せ部材６０は、戸先框５０の長手方向に間隔を開けて配置される。これに対し、１つの引き寄せ部材６０が凹部７０内に取り付けられるときには、引き寄せ部材６０は、戸先框５０の長手方向の中央部に配置される。
【００４１】
１つの帯状の加熱発泡材７Ｋが戸先框５０の長手方向に沿って連続して配置される。これに対し、複数の帯状の加熱発泡材７Ｋが戸先框５０の長手方向に沿って順に配置されることがある。この場合には、複数の加熱発泡材７Ｋが戸先框５０の長手方向の複数箇所で隙間を開けて配置され、又は、複数の加熱発泡材７Ｋが隙間なく直列に配置される。隣り合う加熱発泡材７Ｋの境界部分には、加熱発泡材７Ｋの境界部が設けられる。その状態で、加熱発泡材７Ｋは、戸先框５０の長手方向に沿って、凹部７０内の配置部５４に配置される。加熱発泡材７Ｋの境界部は、戸先框５０の長手方向の所定位置に配置される。
【００４２】
加熱発泡材７Ｋが境界部を有するときには、凹部７０内の境界部が位置する部分に引き寄せ部材６０を取り付けるのが好ましい。引き寄せ部材６０は、加熱発泡材７Ｋの境界部に対向する位置に配置されて、加熱発泡材７Ｋの境界部と境界部の周辺部に接触する。また、引き寄せ部材６０は、境界部を含む加熱発泡材７Ｋを押圧して、凹部７０内の配置部５４に、境界部を含む加熱発泡材７Ｋを固定する。これにより、加熱発泡材７Ｋの境界部を配置部５４に保持でき、加熱発泡材７Ｋの境界部が配置部５４から外れるのを抑制することができる。
【００４３】
なお、係止部５８、５９以外の取付手段により、引き寄せ部材６０を凹部７０内に取り付けるようにしてもよい。例えば、引き寄せ部材６０を、一対の壁部７１、７２の間に突っ張るように配置して、一対の壁部７１、７２に取り付けてもよい。また、引き寄せ部材６０を、取付片５３Ｂで突っ張るように配置して、一対の壁部７１、７２に取り付けてもよい。凹部７０内に支持部５５、５６を形成せずに、加熱発泡材７Ｋを配置部５４に配置してもよい。
【００４４】
本実施形態では、２枚の障子２を左右に引き違い可能に構成した建具１（引き違い窓）について例示したが、本発明は、他の建具に適用することもできる。本発明を適用する建具は、例えば、３枚の障子の引き違い窓、４枚の障子の引き違い窓、一方の障子を枠体に嵌め殺した片引き窓、又は、２枚の障子を上下に移動可能に構成した上げ下げ窓であってもよい。各建具において、枠に対向する障子の戸先框に引き寄せ部材が設けられる。
【符号の説明】
【００４５】
１・・・建具、２・・・障子、３・・・枠体、４・・・上枠、５・・・下枠、６・・・縦枠、７・・・加熱発泡材、１０・・・取付部材、１１・・・クレセント錠、１２・・・ストッパー、１３・・・上ガイド部材、１４・・・下ガイド部材、１５・・・緩衝部材、２０・・・上框、２１・・・金属框部、２２・・・樹脂カバー、３０・・・下框、３１・・・金属框部、３２・・・樹脂カバー、４０・・・召し合せ框、４１・・・金属框部、４２・・・樹脂カバー、５０・・・戸先框、５１・・・金属框部、５２・・・樹脂カバー、５３・・・取付部、５４・・・配置部、５５・・・第１支持部、５６・・・第２支持部、５７・・・受け部、５８・・・第１係止部、５９・・・第２係止部、６０・・・引き寄せ部材、６１・・・第１被係止部、６２・・・第２被係止部、６３・・・ベース部、６４・・・ガイド部、６５・・・ガイド面、６６・・・接触部、６７・・・突起、７０・・・凹部、７１・・・第１壁部、７２・・・第２壁部、７３・・・底部、７４・・・収容部。
【図１】
2018048512.tif 000003
【図２】
2018048512.tif 000004
【図３】
2018048512.tif 000005
【図４】
2018048512.tif 000006